(57)【要約】【課題】様々な色や模様を傘布に投影する事によって、ファッション性を高めた傘を提供する事を課題とする。【解決手段】傘において、図４傘の下ろくろ１６に図１投影ユニット１を取り付け、傘布２に色や模様を投影する事で、動きがあるごとに色や模様が変化する様にした。投影ユニットは、図２カプセル透明部８、カプセル半透明部７、発光ダイオード１１、発光ダイオード台座１２、電池１０、スイッチ９、半透明ビーズ５、カプセル透明部蓋１３、芯パイプ６から構成されており、カプセル透明部８に入れたビーズ５が、傘の動きによってカプセル内を移動し、発光ダイオード１１が出す光を受け、図１の傘布２に動く色や模様を投影可能にした。【選択図】図１
2011156156.tif 000002
【特許請求の範囲】
【請求項１】
傘布部に色または模様を投影する投影装置を備えることを特徴とする傘。
【請求項２】
着色された半透明体と、前記半透明体を透過して傘布部に光を照射することにより、傘布部に色または模様を投影する発光体と、を備え、前記半透明体は、移動または回転可能に保持されていることを特徴とする、請求項１記載の傘に色や模様を投影するための、投影装置。
【発明の詳細な説明】
【技術分野】
【０００１】
この発明は、傘に関する。
【背景技術】
【０００２】
従来の傘は図４に示す様に、傘布の生地１５に直接着色する事によってファッション性を高めていた。また、図５に示す様な、傘の露先１８や石突１９に発光ダイオードを取り付ける事によって、夜間の安全性を高める為の光る傘はあったけれど、ファッション性を高める為の手段としては、あまり有効では無かった。
【発明の開示】
【発明が解決しようとする課題】
【０００３】
以上の技術によれば、傘の傘布の模様は常に一定であった。
そこでこの発明は、様々な色や模様を傘布に投影する事によって、ファッション性を高めた傘を提供する事を課題とする。
【課題を解決するための手段】
【０００４】
以上の課題を解決するために、本発明のある態様の傘は、傘布部に色や模様を投影する為の投影装置を有する。前記投影装置は、着色された半透明体と、半透明体を通じて傘布部に光を照射することにより、傘布部に色または模様を投影する発光体と、を備える。半透明体は、移動または回転可能に保持されている。
【発明の効果】
【０００５】
この態様によれば、半透明体が移動することによって、傘布部に投影される色や模様を変化させることができる。したがって、従来にはない、斬新なファッション性を有する傘を提供することができる。
【図面の簡単な説明】
【０００６】
【図１】この発明の一実施形態を示す斜視図である。
【図２】図１投影装置１の詳細図である。
【図３】この発明の一実施形態の変形例を示す斜視図である。
【図４】従来技術を示す斜視図である。
【図５】従来技術を示す斜視図である。
【発明を実施するための最良の形態】
【０００７】
この発明の一実施形態に係る傘を、図１に示す。
傘が元来有する図４の下ろくろ１６に図１投影ユニット１を取り付け、傘布２に向けて、色や模様を投影する。
投影ユニットの詳細を図２に示す。
【０００８】
投影ユニットは主に、ガチャガチャと呼ばれるおもちゃの自動販売機に使用されるプラスチックカプセルと同様のカプセル（上部８は透明、下部７は半透明）、芯パイプ６から成り立っており、カプセル内部はカプセル透明部蓋１３で上下に仕切られる。カプセル透明部蓋１３は透明のプラスチックでできており、その下にある発光ダイオード１１の光を透過する。
【０００９】
カプセル透明部８とカプセル半透明部７、カプセル透明部蓋１３と発光ダイオード台座１２はそれぞれ中央に、芯パイプ６の外径と同じ径の穴が開いており、カプセルの中にカプセル透明部蓋１３と発光ダイオード台座１２を入れて閉じた状態で、縦方向に芯パイプ６を挿入する。カプセル透明部８とカプセル半透明部７は、それぞれの接点で芯パイプ６に接着され、防水される。
【００１０】
また、カプセル透明部８とカプセル半透明部７は、それぞれの接点にネジが切ってあり、カプセルの上部と下部を手にもって、それぞれを逆方向に回すことにより開閉する機構を有する。これによりカプセルを合わせて閉じる事で防水される。
カプセル透明部８に複数の、様々な色や形をした半透明ビーズ５を入れ、発光ダイオード１１から出る光がビーズ５に当り、ビーズ５を透過し、乱反射した光が図1傘布２に投影される。
【００１１】
図２発光ダイオード台座１２は、発光ダイオード１１を差し込む為の穴が、取り付ける発光ダイオードの数と同じ数だけ開けられており、その穴に発光ダイオードを差し込んで接着する。
発光ダイオード１１を駆動するための電池１０とスイッチ９がカプセル半透明部７内の発光ダイオード台座１２の下に収められ、電池１０のプラス電極からスイッチ９、発光ダイオード１１のアノード端子へと、それぞれ結線される。
電池１０のマイナス電極はそれぞれの発光ダイオード１１のカソード端子に結線される。
【００１２】
図１傘の柄３は中棒４から取り外す事を可能な構造を有する。投影装置１の傘への取り付けは、柄３を取り外し、投影装置の芯パイプ６の中に中棒４を挿入し、そのまま押し上げて、下ろくろに取り付ける。
これにより、投影装置自体を簡単に取り替える事が出来るので、元来の傘の構造自体を大幅に変更する事なく、投影装置を取り付け可能にした。
また下ろくろ自体が傘の開閉に応じて位置が上下するので、それに合わせて投影装置が動く事で、傘を閉じた時に邪魔にならないようにした。
【００１３】
以上、この実施形態によれば、投影ユニット１から出る光が傘布２に投影され、投影装置内のビーズ５が透明カプセル８内で移動する事によって、図１傘布２に様々な模様が投影され、傘の動きに合わせて模様が動く。投影装置自体を入れ替える事により、様々な色や模様を傘布に投影可能なので、従来の傘のように、いつも同じ色または模様ではなく、その日の気分によって、色や模様を選ぶことを可能とした。また、グリセリンなどの、光透過性の粘性液体を封入する事により、ゆったりとした動きを作り出す事も可能である。
【００１４】
傘布部が光る為、夜間雨天時など暗い場所で足元を照らしたり、交通安全性を高める為にも有効である。
この投影装置は雨の日に使う雨傘のみではなく、同様の構造を持つ、日傘やパラソル傘に取り付けてもよい。
【００１５】
本実施形態のある変形例は図３に示す通り、図１投影装置１と同様の構造を有するものを、傘が元来有する石突き１７に取り付けたもので、この様に取り付ける場合、石突１７の外径に芯パイプ６の内径が一致する様に作れば、傘の石突き１７に投影装置１４を取り付ける事で、既存の傘に、加工なしでそのまま取り付け可能である。
この投影装置は雨の日に使う雨傘のみではなく、同様の構造を持つ、日傘やパラソル傘に取り付けてもよい。
【符号の説明】
【００１６】
１  投影装置                ２  傘布
３  柄                      ４  中棒
５  半透明ビーズ            ６  芯パイプ
７  カプセル半透明部        ８  カプセル透明部
９  スイッチ              １０  電池
１１  発光ダイオード        １２  発光ダイオード台座
１３  カプセル透明部蓋      １４  投影装置
１５  模様の描かれた傘布    １６  下ろくろ
１７  石突き                １８  露先
１９  石突き    
【図１】
2011156156.tif 000003
【図２】
2011156156.tif 000004
【図３】
2011156156.tif 000005
【図４】
2011156156.tif 000006
【図５】
2011156156.tif 000007